(57)【要約】建築物の建造に使用される軽量鉄骨フレームの間柱を穿孔して建築配線及び配管を通過させるのに十分な大きさの孔を形成するための携帯用手持ち装置（１０）は、リミットスイッチ（７６）及びメインスイッチ（７２）に接続された制御回路（１７０）と、駆動機構（４０）に接続された出力（３８）とを含む。前記制御回路（１７０）は、パンチ及びダイアセンブリ（２４）を非作動位置から、作動サイクルにわたって、打ち抜かれた穿孔を形成するための作動位置を通じて駆動し、引き続き、前記作動サイクルを完了し且つ前記リミットスイッチ（７６）を作動するためにパンチ及びダイアセンブリ（２４）非作動位置へ駆動するために、使用者による前記メインスイッチ（７２）の作動に応じて前記駆動機構（４０）を選択的に作動するよう構成される。前記制御回路（１７０）は前記リミットスイッチ（７６）の作動に応じて前期駆動機構（４０）の操作を停止する。
2004502559.tif 000002
【特許請求の範囲】
【請求項１】
建築物の建造において使用される軽量鉄骨フレームの間柱を穿孔して建築配線及び配管を通過させるのに十分な大きさの孔を形成する携帯用手持ち装置であって、
フレームと、
該フレームに支持されるパンチ及びダイアセンブリであって、相互方向に移動するために互いに対向して取り付けられたパンチとダイとを含み、該ダイは前記パンチを受容するための窪みが画成された本体を有するパンチ及びダイアセンブリと、
前記フレームに取り付けられた駆動機構であって、前記パンチ及びダイが離間し、前記間柱がそれらの間に位置する非作動位置と、打ち抜かれた穿孔を形成するために間柱を貫通して打ち抜くことによって前記パンチが前記ダイの窪みに延出する作動位置と、を含む作動サイクルにわたって、前記パンチ及びダイアセンブリを駆動するために選択的に運転可能である駆動機構と、
前記パンチ及びダイアセンブリが前記非作動位置にあるときに作動される作動可能なリミットスイッチと、
使用者によって作動可能なメインスイッチと、
前記リミットスイッチと前記メインスイッチとに接続され、前記駆動機構に接続された出力を有する制御回路と、を有し、
前記制御回路は、前記パンチ及びダイアセンブリを非作動位置から、作動サイクルにわたって、打ち抜かれた穿孔を形成するための作動位置を通じて駆動し、引き続き、前記作動サイクルを完了し且つ前記リミットスイッチを作動するために前記パンチ及びダイアセンブリを非作動位置へ駆動するために、使用者による前記メインスイッチの作動に応じて前記駆動機構を選択的に運転するよう構成され、前記制御回路は前記リミットスイッチの作動に応じて前記駆動機構の運転を停止するよう構成された携帯用手持ち装置。
【請求項２】
前記制御回路は、さらに、前記パンチ及びダイアセンブリが前記作動サイクルを完了することなく、前記メインスイッチの作動から予め定められた時間経過後に、前記駆動機構の運転を停止するよう構成されたタイマーを含む請求項１に記載の装置。
【請求項３】
前記駆動機構はバッテリー駆動である請求項２に記載の装置。
【請求項４】
前記駆動機構は電気モータである請求項１に記載の装置。
【請求項５】
前記モータは予め定められた限界電流を有し、且つ、前記装置はさらにモータ電流を検知するために前記モータに接続された電流センサを含み、前記電流センサは前記限界電流を超えるモータ電流に反応して前記制御回路に過負荷シグナルを提供するよう構成されている請求項４に記載の装置。
【請求項６】
前記制御回路は前記過負荷シグナルを受け取ると同時に前記電気モータの運転を停止するよう構成されている請求項５に記載の装置。
【請求項７】
前記モータは第１方向及び第２方向に運転可能であり、前記制御回路は前記過負荷シグナルを受け取ると同時に前記電気モータの方向を逆転するよう構成されている請求項５に記載の装置。
【請求項８】
第１の状態及び第２の状態を有する過負荷動作選択スイッチをさらに含み、前記制御回路は、前記選択スイッチが前記第１の状態にあるとき、前記過負荷シグナルを受け取ると同時に前記電気モータの運転を停止すると共に、前記選択スイッチが前記第２の状態にあるとき、前記過負荷シグナルを受け取ると同時に前記電気モータの方向を逆転するよう構成されている請求項５に記載の装置。
【請求項９】
前記モータは第１方向及び第２方向で運転可能であり、前記装置はさらに前記制御回路に接続された作動可能な逆転スイッチを含み、前記制御回路は前記逆転スイッチが非作動位置にあるとき前記モータを前記第１方向で運転し、前記逆転スイッチが作動位置にあるとき前記モータを前記第２方向で運転する請求項４に記載の装置。
【請求項１０】
前記制御回路は前記逆転スイッチの作動が前記メインスイッチの作動に追従されると同時に、前記モータを前記第２方向に運転する請求項９に記載の装置。
【請求項１１】
前記モータは予め定められたパンチングの限界電流を有し、また、前記装置はさらに前記モータに接続された電流センサを有し、該センサは前記パンチングの限界電流を超過する該モータ電流に反応して打ち抜かれた穿孔が形成されたことを示すパンチングシグナルを提供するように構成されている請求項４に記載の装置。
【請求項１２】
前記装置によって形成された打ち抜かれた穿孔の数を示す値を保持し、前記パンチングシグナルを受け取るカウンタであって、前記パンチングシグナルを受け取ると同時に値を増加するカウンタと、該カウンタ内の値を使用者に表示するディスプレイと、をさらに含む請求項１１に記載の装置。
【請求項１３】
前記駆動機構は流体源によって駆動されるタービンである請求項１に記載の装置。
【請求項１４】
前記フレームは第１及び第２の半体を含む概ねＣ形状の部分を含み、前記半体のそれぞれは端部を備え、該端部は前記パンチ及び前記ダイを保持し且つ前記パンチと前記ダイとの間に前記間柱を受け入れるために離間し、前記装置は、
前記Ｃ形状フレーム部分の前記第１及び第２の半体を接続するためのスライド部材であって、該スライド部材を移動することによって前記ダイが前記パンチから近接及び離間する方向に移動することを可能にするスライド部材と、
前記第１及び第２のフレーム部分半体が相互に近接して位置付けられているときに作動可能で、前記第１及び第２のフレーム部分半体が相互に離間して位置付けられているときに非作動である安全スイッチと、を含み、前記制御回路は、前記安全スイッチが作動されている間は前記駆動機構を選択的に運転し、また、前記安全スイッチが非作動の間は前記駆動機構の全ての運転を停止するよう構成されている請求項１に記載の装置。
【請求項１５】
建築物の建造に使用される軽量鉄骨フレームの間柱を穿孔して建築配線及び配管を通過させるのに十分な大きさの孔を形成するための携帯用手持ち装置であって、
フレームと、
該フレームに支持されるパンチ及びダイアセンブリであって、相互方向に移動するために相互に対向して取り付けられたパンチとダイとを含み、該ダイは前記パンチを受容するための窪みが画成された本体を有するパンチ及びダイアセンブリと、
前記フレームに取り付けられた電気モータであって、前記パンチ及びダイアセンブリを前記パンチ及びダイアセンブリが離間し、前記間柱がそれらの間に位置する非作動位置と、打ち抜かれた穿孔を形成するために間柱を貫通して打ち抜くことによって前記パンチが前記ダイの窪みに延出する作動位置と、を含む作動サイクルにわたって、前記パンチ及びダイアセンブリを駆動するために選択的に運転可能であり、予め定められたパンチングの限界電流を有するモータと、
前記モータに取り付けられ、前記パンチングの限界電流を超過する前記モータ電流に反応して前記打ち抜かれた穿孔が形成されたことを示すパンチングシグナルを提供するよう構成された電流センサと、
前記装置によって形成された打ち抜かれた穿孔の数を示す値を保持し、且つ、前記パンチングシグナルを受け取るカウンタであって、前記パンチングシグナルを受け取ると同時に値を増加するカウンタと、
前記カウンタ内の値を使用者に表示するディスプレイと、を有する携帯用手持ち装置。
【請求項１６】
建築物の建造に使用される軽量鉄骨フレームの間柱にノックアウトを穿孔して建築配線及び配管を通過させるのに十分な大きさの孔を形成するための携帯用手持ち装置であって、
間柱をその間に受け入れるための離間した端部を備える概ねＣ形状の部分と、使用者によって把持されるハンドルと、を有する小型の手持ちフレームと、
前記Ｃ形状フレーム部分の端部に互いに対向して取り付けられたパンチとダイとを含むパンチ及びダイアセンブリであって、前記パンチ及び前記ダイは相互方向に移動するよう取り付けられ、前記ダイは窪みを画成する本体を有し、前記パンチは穿孔の打ち抜きによってノックアウトを生成するよう前記窪みに対して配置されるパンチ及びダイアセンブリと、
前記フレームに取り付けられた作動可能な駆動機構であって、前記パンチ及び前記ダイが離間し、前記間柱がその間に位置する非作動位置と、打ち抜かれた穿孔を形成するために前記間柱を貫通して打ち抜くことによって前記パンチが前記ダイの窪みに延出する作動位置と、を含む作動サイクルにわたって、前記パンチ及びダイアセンブリを駆動するために運転可能である作動可能な駆動機構と、
前記パンチ及びダイアセンブリが前記非作動位置にあるときに作動される作動可能なリミットスイッチと、
使用者によって作動可能である作動可能なメインスイッチと、
前記リミットスイッチ及び前記メインスイッチに接続され、前記駆動機構に接続された出力を有する制御回路と、を有し、
前記制御回路は、前記パンチ及びダイアセンブリを非作動位置から、作動サイクルにわたって、打ち抜かれた穿孔を形成するための作動位置を通じて駆動し、引き続き、前記作動サイクルを完了し且つ前記リミットスイッチを作動するために前記パンチ及びダイアセンブリを非作動位置へ駆動するために、使用者による前記メインスイッチの作動に応じて前記駆動機構を選択的に運転するよう構成され、前記制御回路は、前記リミットスイッチの作動に応じて前記駆動機構の運転を停止するよう構成された携帯用手持ち装置。
【請求項１７】
建築物の建造に使用される軽量鉄骨フレームの間柱にノックアウトを打ち抜いて建築配線及び配管を通過させるのに十分な大きさの孔を形成するための携帯用手持ち装置であって、
間柱をその間に受け入れるための離間した端部を備える概ねＣ形状の部分と、使用者によって把持されるハンドルと、を有する小型の手持ちフレームと、
前記Ｃ形状フレーム部分の端部に互いに対向して取り付けられたパンチとダイとを含むパンチ及びダイアセンブリであって、前記パンチ及び前記ダイは相互方向に移動するよう取り付けられ、前記ダイは窪みを画成する本体を有し、前記パンチは穿孔の打ち抜きによってノックアウトを生成するよう前記窪みに対して配置されるパンチ及びダイアセンブリと、
前記フレームに取り付けられた電気モータであって、前記パンチ及び前記ダイが離間し、前記間柱がその間に位置する非作動位置と、打ち抜かれた穿孔を形成するために前記間柱を貫通して打ち抜くことによって前記パンチが前記ダイの窪みに延出する作動位置と、を含む作動サイクルにわたって、前記パンチ及びダイアセンブリを駆動するために運転可能であり、予め定められたパンチングの限界電流を有する電気モータと、
前記モータに取り付けられた電流センサであって、前記パンチングの限界電流を超過する前記モータ電流に反応して前記打ち抜かれた穿孔が形成されたことを示すパンチングシグナルを提供するよう構成されたセンサと、
前記装置によって形成された打ち抜かれた穿孔の数を示す値を保持し、且つ、前記パンチングシグナルを受け取るカウンタであって、前記パンチングシグナルを受け取ると同時に値を増加するカウンタと、
前記カウンタ内の値を使用者に表示するディスプレイと、を有する携帯用手持ち装置。
【請求項１８】
建築物の建造に使用される軽量鉄骨フレーム間柱を穿孔して建築配線及び配管を通過させるのに十分な大きさの孔を形成するための携帯用手持ち装置であって、
フレームと、
該フレームに支持されるパンチ及びダイアセンブリであって、且つ、相互方向に移動するために対向して取り付けられたパンチとダイとを含み、該ダイは前記パンチを受容するための窪みが画成された本体を有するパンチ及びダイアセンブリと、
前記フレームに取り付けられた駆動機構であって、前記パンチ及びダイアセンブリが離間し、前記間柱がそれらの間に位置する非作動位置と、打ち抜かれた穿孔を形成するために間柱を貫通して打ち抜くことによって前記パンチが前記ダイの窪みに延出する作動位置と、を含む作動サイクルにわたって、前記パンチ及びダイアセンブリを駆動するために選択的に運転可能である駆動機構と、
前記パンチ及びダイアセンブリが前記非作動位置にあるときに作動される作動可能な第１のリミットスイッチと、
使用者によって作動可能である作動可能なメインスイッチと、
前記第１のリミットスイッチと前記メインスイッチとに接続され、前記駆動機構に接続された出力を有する制御回路と、を含み、
前記制御回路は、前記パンチ及びダイアセンブリを非作動位置から、作動サイクルにわたって、打ち抜かれた穿孔を形成するための作動位置を通じて駆動するために、使用者による前記メインスイッチの瞬間的な作動に応じて前記駆動機構を選択的な運転を可能にするようインターロック回路と共に構成され、さらに、前記制御回路は、前記パンチ及びダイアセンブリを作動サイクルにわたって前記非作動位置へ駆動した後に前記第１のリミットスイッチが作動されたときに、前記駆動機構の運転を停止するよう構成された携帯用手持ち装置。
【請求項１９】
前記インターロック回路は、前記制御回路が前記駆動機構を停止した後、前記制御回路への動力接続を維持する請求項１８に記載の装置。
【請求項２０】
前記制御回路はタイマーを含む請求項１９に記載の装置。
【請求項２１】
前記制御回路は、前記タイマーが電圧低下限界を超えたときに、前記インターロック回路をリセットし、且つ、前記制御回路への動力接続を切断するように構成され、前記タイマーは前記メインスイッチの瞬間的な作動によってリセットされる請求項２０に記載の装置。
【請求項２２】
前記制御回路は、前記タイマーが前記第１のリミットスイッチが作動される前に初期移動限界を超えたときに、前記駆動機構を停止するよう構成され、前記タイマーは前記メインスイッチの瞬間的な作動によってリセットされる請求項２０に記載の装置。
【請求項２３】
前記打ち抜かれた穿孔が形成されるよう、前記パンチ及びダイアセンブリが前記非作動位置から前記作動位置へ十分に移動したときに作動される、作動可能な第２のリミットスイッチをさらに含み、前記制御回路は、前記第２のリミットスイッチが作動される前に前記タイマーがパンチングのタイムアウト限界を超えるときに、前記駆動機構を停止するよう構成され、前記タイマーは前記メインスイッチの瞬間的な作動によってリセットされる請求項２０に記載の装置。
【請求項２４】
前記打ち抜かれた穿孔が形成されるよう、前記パンチ及びダイアセンブリが前記非作動位置から前記作動位置へ十分に移動したときに作動される、作動可能な第２のリミットスイッチをさらに含み、前記制御回路は、前記第２のリミットスイッチが作動される前に前記タイマーがパンチングのタイムアウト限界値を超えるときに、前記駆動機構を逆転するよう構成され、前記タイマーは前記メインスイッチの瞬間的な作動によってリセットされる請求項２０に記載の装置。
【請求項２５】
前記制御回路は、前記駆動機構の前記逆転後に前記第１のリミットスイッチが作動される前に、前記タイマーが逆転リターンタイムアウト限界を超えたときに、前記駆動機構を停止するよう構成されている請求項２４に記載の装置。
【請求項２６】
前記制御回路は、前記パンチ及びダイアセンブリが前記作動サイクルを開始した後に前記第１のリミットスイッチが作動される前に、前記タイマーが順回転リターンタイムアウト限界を超えたときに、前記駆動機構を停止するよう構成される請求項２０に記載の装置。
【請求項２７】
作動可能な安全スイッチをさらに含み、前記制御回路は前記安全スイッチが非作動である間は前記駆動機構の運転を妨げるよう構成されている請求項１８に記載の装置。
【請求項２８】
建築物の建造に使用される軽量鉄骨フレームの間柱にノックアウトを打ち抜いて建築配線及び配管を通過させるのに十分な大きさの孔を形成するための携帯用手持ち装置であって、
間柱をその間に受け入れるための離間した端部を備える概ねＣ形状の部分と、使用者によって把持されるハンドルと、を有する小型の手持ちフレームと、
前記Ｃ形状フレーム部分の端部に互いに対向して取り付けられたパンチとダイとを含むパンチ及びダイアセンブリであって、前記パンチ及び前記ダイは相互方向に移動するよう取り付けられ、前記ダイは窪みを画成する本体を有し、前記パンチは穿孔の打ち抜きによってノックアウトを生成するよう前記窪みに対して配置されるパンチ及びダイアセンブリと、
前記フレームに取り付けられた作動可能な駆動機構であって、前記パンチ及び前記ダイが離間し、前記間柱がその間に配置された非作動位置と、打ち抜かれた穿孔を形成するために前記間柱を貫通して打ち抜くことによって前記パンチが前記ダイの窪みに延出する作動位置と、を含む作動サイクルにわたって、前記パンチ及びダイアセンブリを駆動するために運転可能である作動可能な駆動機構と、
前記パンチ及びダイアセンブリが前記非作動位置にあるときに作動される作動可能なリミットスイッチと、
使用者によって作動可能である作動可能なメインスイッチと、
前記リミットスイッチと前記メインスイッチとに接続され、前記駆動機構に接続された出力を有する制御回路と、を含み、
前記制御回路は、前記パンチ及びダイアセンブリを非作動位置から、作動サイクルにわたって、打ち抜かれた穿孔を形成するための作動位置を通じて駆動するために、使用者による前記メインスイッチの瞬間的な作動に応じて前記駆動機構の選択的な運転を可能にするようインターロック回路と共に構成され、前記制御回路は、前記パンチ及びダイアセンブリを作動サイクルにわたって前記非作動位置へ駆動した後に前記リミットスイッチが作動されたときに、前記駆動機構の運転を停止するよう構成された携帯用手持ち装置。
【発明の詳細な説明】
【０００１】
技術分野
本願発明は、鋼製間柱を穿孔して配線や配管を通すのに十分な大きさの孔を形成し、配線や配管に損傷を与え得る鋭利な舌部やフランジを十分になくすための携帯型の手持ち装置とそのような装置のための制御回路に関する。
【０００２】
背景
鉄骨骨組み（フレーム）の家屋及び建造物が普及している。鉄骨骨組みは従来の木造骨組みに比べ多くの長所を有する。鉄骨骨組みは白蟻、錆、及び、腐食に強い。さらに、鉄骨骨組みは不燃性であり、エネルギー効率が良く、悪天候や激しい地震状況への耐性が強い。
【０００３】
鉄骨骨組みは、Ｃ形断面の構成部品に冷間形成された軽量亜鉛メッキ鋼から作られる。特に、木造骨組み設計を鉄骨骨組み設計に変換する時には、材木の寸法に適合する構成部品を選択することにより、設計変更を最小に抑えられる。間柱は全てのサイズがあるが、ほとんどの建築者は木造骨組み寸法に適合する３ ５／８インチ及び５ １／２インチのサイズを使用する。
【０００４】
鉄骨骨組みの家屋及び建造物を建築する時、間柱に孔を穿けることが必要である。これらの孔は時にノックアウト（突出し）と呼ばれ、パイプ及び／又は配線をその孔に通らせることによって配管や電気的配線を収容する。鋼製間柱は予備形成された孔付きで購入できる。多くの場合、予備形成孔は望ましい位置にはなく、又は、予備形成孔がない。これらの状況では、建築者は孔が必要な場合は鋼製間柱に孔を形成しなければならない。
【０００５】
これらの孔を形成する１つの方法は、アセチレントーチを使用して孔を切ることである。アセチレントーチを使用して鋼製間柱に孔を切ることは建築者にとって不便である。鋼製間柱に孔を形成するための別の方法は、Ｓｚｕｌｃに発行された米国特許第５，２８７，７１６号に記載されるように、大型機械レバータイプの穿孔機と打ち抜き型工具を伴う。建築者は少なくとも部分的に骨組みを建築するまで鋼製間柱のどこに孔を形成するのが好ましいのか知ることができないので、孔の形成は難しい。多くの場合、大型レバータイプの工具を鉄骨骨組み付近に位置させて孔を形成することは、レバータイプ工具の大きさにより、及び、部分的に建築された骨組みの空間的制限により、不可能である。さらに、時には付加的な困難性を伴わずに配管が通過させられるように近接する間柱上の孔を位置合わせすることは困難である。さらに、小型のレバータイプの工具は一般的にネジ孔等の小さい孔の形成にのみ有効であり、配線及び／又は配管のための大きな孔を形成するようには設計されていない。
【０００６】
発明の開示
従って、本願発明の目的は鉄骨間柱を穿孔するための小型の手持ち装置及びそのような装置のための制御回路を提供することである。
【０００７】
上記の目的を達成するために、建築物の建造に使用される軽量鉄骨フレームの間柱を穿孔して建築配線及び配管を通過させるのに十分な大きさの孔を形成するための携帯用手持ち装置が提供される。装置は、フレームと、パンチ及びダイアセンブリと、駆動機構と、作動可能なリミットスイッチと、作動可能なメインスイッチと、制御回路と、を含む。パンチ及びダイアセンブリはフレームに支持され、相互に対して移動するために相互に対向して取り付けられたパンチとダイとを含む。ダイはパンチを受容するための窪み（キャビティ）を画成する本体を有する。駆動機構はフレームに取り付けられ、非作動位置と作動位置とを含む作動サイクルにわたってパンチ及びダイアセンブリを駆動するために選択的に運転可能である。非作動位置では、パンチとダイは離間し、間柱がその間に位置する。作動位置では、打ち抜かれた（パンチされた）穿孔を形成するために間柱を貫通することによって、パンチはダイの窪みに延出する。リミットスイッチはパンチ及びダイアセンブリが非作動位置にあるときに作動される。メインスイッチは使用者によって作動可能である。
【０００８】
前記制御回路はリミットスイッチとメインスイッチとに接続されており、駆動機構に接続された出力を有する。制御回路は、パンチ及びダイアセンブリを非作動位置から、作動サイクルにわたって、打ち抜かれた穿孔を形成するための作動位置を通じて駆動し、引き続き、作動サイクルを完了し、且つ、リミットスイッチを作動するためにパンチ及びダイアセンブリを非作動位置へ駆動するために、使用者によるメインスイッチの作動に応じて、駆動機構を選択的に運転するよう構成される。制御回路は、リミットスイッチの作動に応じて、駆動機構の運転を停止するよう構成される。
【０００９】
好適な実施形態では、制御回路は、メインスイッチの作動から予め定められた時間経過後に、パンチ及びダイアセンブリが作動サイクルを完了することなく、駆動機構の運転を停止するよう構成されたタイマーをさらに含む。
【００１０】
ある実施形態では、駆動機構はバッテリー駆動である。ある実施形態では、駆動機構は電気モータである。モータは予め定められた限界電流を有することが好ましく、装置はさらに電流センサを含むことが好ましい。電流センサは、モータ電流を監視するために、モータに接続される。センサは、限界電流を越えるモータ電流に反応して過負荷シグナルを制御回路へ提供するよう構成される。制御回路は、過負荷シグナルを受け取ると同時に、電気モータの運転を停止するよう構成されるのが好ましい。
【００１１】
他の実施形態では、モータは第１方向と第２方向で運転可能であり、制御回路は、過負荷シグナルの受け取り次第、モータの方向を逆転するよう構成される。さらに、好適な実施形態では、装置は第１の状態と第２の状態とを有する過負荷動作選択スイッチをさらに含む。制御回路は、選択スイッチが第１の状態にあるときに、過負荷シグナルを受け取り次第、モータの運転を停止するよう構成される。制御回路は、選択スイッチが第２の状態にあるときに、過負荷シグナルを受け取り次第、モータの方向を逆転するよう構成される。
【００１２】
さらに、好ましくは、装置は制御回路に接続された逆転スイッチをさらに含む。制御回路は、逆転スイッチが非作動位置（そしてメインスイッチが作動位置）にあるときにモータを第１方向で運転し、逆転スイッチが作動位置にあるときにモータを第２方向で運転するよう構成されている。ある実施形態では、制御回路は、逆転スイッチの作動がメインスイッチの作動に追従されると同時に、モータを第２方向で運転する。他の実施形態では、逆転スイッチの作動によって、モータは速やかに第２方向で回転する。
【００１３】
好適な実施形態では、装置はモータに接続された電流センサをさらに含む。センサは、パンチが穿孔を形成したことを示すパンチングの限界電流を超えるモータ電流に対応して、パンチングシグナルを提供するように構成される。カウンタは装置によって形成された打ち抜かれた穿孔の数を示す値を保持し、そして、パンチングシグナルを受け取る。カウンタはパンチングシグナルの受け取ると同時に値を増加される。好ましくは、使用者がパンチがいつ取り替えられ、あるいは、バッテリーがいつ取り替えられるべきかを知ることのできるよう、ディスプレイがカウンタ内の値を使用者に表示する。
【００１４】
本願発明の好適な実施形態では電気モータが使用されるが、タービンに加圧された流体を提供するバルブを制御する制御回路を備えた、流体源によって駆動されるタービンが電気モータの代わりに用いられ得ることが理解されよう。
【００１５】
ある実施形態では、フレームは第１及び第２の半体を含む概ねＣ形状の部分を含む。それぞれの半体は端部を含み、それぞれの端部はパンチ及びダイを保持するために離間し、パンチとダイの間に間柱を受け入れる。これらの実施形態における装置はスライド部材と作動可能な安全スイッチとをさらに含む。スライド部材はＣ形状フレーム部分の第１及び第２の半体を接続し、スライド部材を移動することによって、パンチへ向かう方向及び離間する方向へのダイの摺動を可能とする。作動可能な安全スイッチは、第１及び第２のフレーム部分半体が相互に近接して位置付けられたときに作動され、第１及び第２のフレーム部分半体が相互に離間しているときに非作動となり、インターロックスイッチとして機能する。制御回路は、安全スイッチが作動されたときに駆動機構を選択的に運転し、安全スイッチが非作動とされたときに駆動機構の運転を停止するよう構成されている。
【００１６】
さらに、本願発明を実施するために、建築物の建造に使用される軽量鉄骨フレームの間柱を穿孔して建築配線及び配管を通過させるのに十分な大きさの孔を形成するための携帯型の手持ち式装置が提供される。装置は、フレームと、パンチ及びダイアセンブリと、電気モータと、電流センサと、カウンタと、ディスプレイと、を含む。パンチ及びダイアセンブリはフレームによって支持され、相互に対して移動するために相互に対向して取り付けられたパンチとダイとを含む。ダイはパンチを受容するための窪みを画成する本体を有する。電気モータはフレームに取り付けられ、非作動位置及び作動位置を含む作動サイクルにわたってパンチ及びダイアセンブリを駆動するために選択的に運転可能である。モータは予め定められたパンチングの限界電流を有する。
【００１７】
電流センサはモータに接続される。センサは打ち抜かれた穿孔が形成されたことを示すパンチングの電流限界を超えるモータ電流に反応してパンチングシグナルを提供するよう構成される。カウンタは装置によって形成された打ち抜かれた穿孔の数を示す値を保持し、パンチングシグナルを受け取る。カウンタはパンチングシグナルを受け取ると同時にカウンタ値を増加する。ディスプレイはカウンタ内の値を使用者に表示する。カウンタ値は、例えば、いつパンチが取り替えらるべきか、あるいは、いつバッテリーが再充電されるべきか、を使用者に示すことができる。
【００１８】
さらに、本願発明を実施するために、建築物の建造に使用される軽量鉄骨フレームの間柱にノックアウトを穿孔して建築配線及び配管を通過させるのに十分な大きさの孔を形成するための携帯用手持ち式装置が提供される。装置は、離間した端部を備えた概ねＣ形状の部分を有する小型の手持式フレームを含み、間柱を離間した端部の間に受け入れる。フレームは使用者によって把持されるハンドルを含む。装置は、さらに、パンチ及びダイアセンブリと、作動可能な駆動機構と、作動可能なリミットスイッチと、作動可能なメインスイッチと、制御回路と、を含む。パンチ及びダイアセンブリはＣ形状フレーム部分の端部に互いに対向して取り付けられるパンチ及びダイを含む。パンチ及びダイは相互の移動のために取り付けられ、ダイは窪みを画成する本体を有する。パンチは、穴を開けることでノックアウトを生成するよう、窪みに対して形成される。駆動機構はフレームに取り付けられ、非作動位置及び作動位置を含む作動サイクルにわたってパンチ及びダイアセンブリを駆動するように動作可能である。リミットスイッチはパンチ及びダイアセンブリが非作動位置にあるときに作動される。メインスイッチは使用者によって作動される。
【００１９】
制御回路はリミットスイッチ及びメインスイッチに接続されており、駆動機構に接続された出力を有する。制御回路は使用者によるメインスイッチの作動に応じて駆動機構を選択的に運転するよう構成され、パンチ及びダイアセンブリを非作動位置から、作動サイクルにわたって、打ち抜かれた穿孔を形成するための作動位置を通じて駆動し、引き続き、作動サイクルを完了し且つリミットスイッチを作動するためにパンチ及びダイアセンブリを非作動位置へ駆動する。制御回路はリミットスイッチの作動に応じて駆動機構の運転を停止するよう構成される。
【００２０】
さらに、本願発明を実施するために、建築物の建造に使用される軽量鉄骨フレームの間柱にノックアウトを穿孔して建築配線及び配管を通過させるのに十分な大きさの孔を形成する携帯用手持ち式装置が提供される。装置は、間柱をその間に受け入れるための離間した端部を備える概ねＣ形状の部分と使用者によって把持されるハンドルとを有する小型の手持式フレームを含む。装置は、さらに、パンチ及びダイアセンブリと、電気モータと、電流センサと、カウンタと、ディスプレイと、を含む。モータは予め定められたパンチングの限界電流を有し、電流センサはモータに接続される。センサは、打ち抜かれた穿孔が形成されたことを示すパンチングの限界電流を超えるモータ電流に反応してパンチングシグナルを提供するよう構成される。カウンタは装置によって形成された打ち抜かれた穿孔の数を示す値を保持し、パンチングシグナルを受け取る。カウンタはパンチングシグナルを受け取ると同時に値を増加する。ディスプレイはカウンタ内の値を使用者に表示する。パンチは、穿孔をパンチすることでノックアウトを生成するよう、ダイによって画成された窪みに対して形成される。
【００２１】
さらに、本願発明を実施するために、建築物の建造に使用される軽量鉄骨フレームの間柱を穿孔して建築配線及び配管を通過させるのに十分な大きさの孔を形成する携帯用手持ち式装置が提供される。装置は、フレームと、パンチ及びダイアセンブリと、駆動装置と、を含む。装置は、さらに、作動可能な第１のリミットスイッチと、作動可能なメインスイッチと、制御回路と、を含む。第１のリミットスイッチは、パンチ及びダイアセンブリが非作動位置にあるときに作動される。メインスイッチは使用者によって作動される。制御回路は第１のリミットスイッチ及びメインスイッチに接続されており、駆動機構に接続された出力を有する。制御回路は、パンチ及びダイアセンブリを駆動するための使用者による瞬間的なメインスイッチの作動に応じて駆動機構を選択的に運転することを可能とするよう、インターロック回路を備えて構成される。パンチ及びダイアセンブリは、打ち抜かれた穿孔を形成するよう、非作動位置から、作動サイクルにわたって、作動位置を通じて駆動される。制御回路は、さらに、パンチ及びダイアセンブリを作動サイクルにわたって非作動位置へ駆動した後に第１のリミットスイッチが作動されたときに駆動機構の運転を停止するよう構成される。
【００２２】
本願発明のこの実施形態では、好ましくは、インターロック回路は、制御回路が駆動機構を停止した後に制御回路への動力接続を維持するよう構成される。さらに、制御回路は、好ましくは、タイマーを含む。タイマーは、装置に向上された制御を提供するために、下記の好適な制御回路の特徴に係る記述において説明されるように、他の様相の制御回路と共に利用されてもよい。
【００２３】
好ましくは、制御回路は、タイマーが動力減少限界値を超えるときに、インターロック回路をリセットし、且つ、制御回路への動力接続を遮断するよう構成される。タイマーはメインスイッチの瞬間的な作動によってリセットされる。好ましくは、制御回路は、第１のリミットスイッチが非作動とされる前にタイマーが内部移動限界値を超えるときに駆動機構を停止するよう構成される。さらに、好ましくは、装置は、打ち抜かれた穿孔が形成されるようパンチ及びダイアセンブリが非作動位置から作動位置へ向けて十分に移動したときに作動される作動可能な第２のリミットスイッチを含むのが好ましい。制御回路は、第２のリミットスイッチが作動される以前にタイマーがパンチングタイムアウト限界値を超えるときに駆動機構を停止するよう構成される。代替的に、制御回路は、第２のリミットスイッチが作動される以前にタイマーがパンチタイムアウト限界値を超えるときに、駆動機構を逆転するよう構成される。さらに、制御回路は、駆動機構の逆転後に第１のリミットスイッチが作動される以前にタイマーが逆転タイムアウト限界値を超えるときに、駆動機構を停止してもよい。そしてさらに、好ましくは、制御回路は、パンチ及びダイアセンブリが作動サイクルを開始後に第１のリミットスイッチが作動される以前に、タイマーがフォワード（順回転）リターンタイムアウト限界値を超えるときに、駆動機構を停止するよう構成される。好適な実施形態では、装置はさらに作動可能な安全スイッチを含む。制御回路は安全スイッチが非作動である間は駆動機構の運転を妨げるよう構成される。
【００２４】
好適な実施例はその間に間柱を受け入れるべく離間した端部を備える概ねＣ形状の部分を有する小型の手持ち式フレームを利用する。より好ましくは、パンチは、穿孔のパンチングがノックアウトを生成するよう、窪みに対して形成される。
【００２５】
本願発明による効果は数々ある。例えば、本願発明のある実施形態では、制御回路はメインスイッチが駆動機構を選択的に作動することを可能とし、リミットスイッチはパンチがホーム位置にあるときと作動サイクルの完了後にパンチを停止するための十分に引き戻された位置にあるときとを検知する。さらに、ある実施形態では、電流センサは電気駆動モータを通過する電流を検知する。センサは形成された穿孔を計上するカウンタに接続される。ディスプレイはカウンタ内の値を使用者に示し、いつパンチ及び／又はダイが取り替えられるべきか、いつバッテリーが再充電されるべきかを使用者に知らせるようにすることもできる。
【００２６】
さらに、本願発明の実施形態は、建築配線及び配管を通過させるのに十分な大きさの孔を形成するために鉄骨間柱をパンチングするための小型の手持ち式工具が提供する。好適な構造では、グロス調整機構及びアンダーカット顎部は、特に部分的に建造されたフレームに既に取り付けられた鉄骨間柱に穿孔を形成するために、工具に多様性を提供する。好ましくは、パンチは、穿孔をパンチすることでノックアウトを生成するようダイの窪みに対して形成される。さらに、パンチとダイの窪みとの間の環状の間隙は、パンチがダイの窪みに延出したときに打ち抜かれた穿孔が実質的にフランジのない状態となるよう、十分に小さいことが好ましい。すなわち、穿孔には実質上配線や配管に傷を付けるような鋭利な舌部やフランジがないということである。
【００２７】
本願発明の上述の目的、並びに、他の目的、特徴、及び、効果は、本願発明を実施するための最適な実施形態に関する下記の詳細な記述及び付帯する図面により明らかである。
【００２８】
発明の詳細な説明
図１乃至図３を参照すると、鋼製間柱を穿孔する装置が一般的に１０で示されている。装置１０は小型の手持ちフレーム１２を含む。フレーム１２はそれぞれ第１及び第２の端部１６，１８を有する略Ｃ形状部１４を有する。第１端部１６及び第２端部１８は離間すると共に作動軸２０に沿って配置されており、間に間柱３０を受け入れる。装置１０を操作する時に使用者が把持するための右及び左ハンドル２２及び２３が設けられている。
【００２９】
パンチ及びダイアセンブリ２４はパンチ２６とダイ２８とを有する。パンチ２６はＣ形状フレーム部１４の第１の端部１６に取り付けられる。ダイ２８はパンチ２６の反対側のＣ形状フレーム部１４の第２の端部１８に取り付けられる。間柱３０はパンチ２６とダイ２８との間に示されている。パンチ２６とダイ２８は作動軸２０に沿って相対的に移動するように取り付けられる。ダイ２８はキャビティ（窪み）３２を有するので、パンチ２６がダイ２８の本体のキャビティ３２に延出し、（図２に示すように）作動中に間柱３０を打ち抜き（穿孔し）、ノックアウト３１を生成する。
【００３０】
電気モータ３６（図１）あるいは流体駆動タービン３７（図３）のような作動可能な駆動機構がフレーム１２に取り付けられる。電気モータ３６（図１）は駆動軸３８を有する。ギア減速アセンブリ４０は幾つかの減速ギア４２，４４を含み、それぞれのギアは駆動される大径のギアと機構４０内の次のギアを駆動する小径のギアを有する。ギア減速アセンブリ４０の最終段階はカム機構４６のような適宜のカム機構を介してパンチ及びダイアセンブリ２４を駆動する。
【００３１】
図示のように、カム機構４６はソケット４８を含む。パンチ２６は適宜の締結材（図示せず）によってパンチヘッド５８に固定されたパンチ本体５６を含む。パンチ本体５６は軸受け６２により支持される。カム機構４６はさらにソケット４８と協働してパンチ２６に往復の駆動運動を伝達するローラーピン５０を有する。
【００３２】
図１に最も良く示されるように、電気モータ３６はバッテリー源６４などの適宜の電源により電源供給される。しかしながら、本願発明の実施形態は従来の電源出力に接続するための電源コードを含むことができる。その代わりに、他の種類の駆動機構を使用してもよい。例えば、図１に最も良く示されるような電気モータ３６を使用する代わりに、図３に最も良く示されるようなタービンを使用してもよい。
【００３３】
図１及び図２に図示される電気モータ駆動の実施形態及び図３に図示されるタービン駆動の実施形態は、個々の駆動機構とは別個に、実質的に同様に作動することが理解されるべきである。発明の説明を単純化するために、図１乃至図３で使用される同様の符号は同様の要素を示す。
【００３４】
さらに図１乃至図３を参照すると、後で駆動及び制御回路が説明されるときに詳述されるように、動力は電気モータ３６（図１及び図２）に選択的に供給される。駆動軸３８は何れの方向にも回転可能である。駆動軸３８の回転は作動サイクルにわたるパンチ２６の往復運動を生じさせる。パンチ２６は非作動位置（図１）と作動位置（図２）との間を移動する。非作動位置では、パンチ２６及びダイ２８は離間し、パンチ２６及びダイ２８の間に間柱３０が配置される。作動位置では、矢印３３で示されるように、ダイ保持部材の背面端部から抜け落ちるノックアウト３１を作り出するよう、パンチ２６は間柱３０をパンチすることによりダイのキャビティ３２内へ延出する。
【００３５】
代替的に、図３に最も良く示されるように、駆動機構はタービン３７であってもよい。タービン３７は駆動軸３８を駆動し、圧縮流体源（具体的に図示せず）から動力を与えられる。スタートボタン７２が押されたときに制御回路が電気モータ（図１及び図２）を作動するのと同様に、バルブ１１２はスタートボタン７２によって作動可能である。フレーム１２に配置されたインレットコネクタ（入口継手）は圧縮空気タンクのような適宜の流体源へ接続される。ギア減速アセンブリ４０はタービン駆動の実施形態において電気モータ駆動の実施形態よりもより大きな減速をもたらし、タービン内の増加した駆動軸速度に適合する。
【００３６】
本願発明の実施形態では、装置は携帯可能で手持ち式であり、パンチ孔が建築配線及び配管が通過するのに十分な大きさとなるように構成される。さらに、好適な実施形態では、パンチは孔をパンチするときにノックアウトを作り出すようにダイに対して形成される。ノックアウトを作り出すために使用可能な１つの手法は、パンチがダイのキャビティ内に進むときに、パンチ孔がノックアウトを作り出すと共に実質的にフランジが無くなるように、パンチとダイのキャビティとの間の環状の間隙が十分に小さいようにダイに対するパンチの寸法決めを行うことである。すなわち、実質的にフランジのないパンチ孔はその中を通すことが意図される配線や配管に損傷を与え得る鋭利な舌部やフランジを十分に無くす。
【００３７】
図１乃至図３を参照すると、グロス調整機構９０は、開放位置（図３）と閉鎖位置（図１は閉鎖／非作動を示し、図２は閉鎖／作動を示す）との間で間柱を穿孔するために必要なものよりも非常に大きいグロス調整ストローク範囲にわたってパンチ２６及びダイ２８を相対的に移動させるように構成される。好適な実施形態では、Ｃ形状フレーム部１４はハンドル２２を含む第１の半体（半分）とハンドル２３を含む第２の半体とを含む。電気モータ３６（図１及び図２）あるいはタービン３７（図３）は第１のハウジング半体に配置される。第２のハウジング半体は、第２のハウジング半体２３に固定されたロック可能なスライド部材９６及び第１のハウジング半体２２内の対応するガイドスロット９８によって、第１のハウジング半体に接続されている。スライド部材９６は、グロス調整ストローク範囲にわたって、作動軸２０に沿ったパンチ２６へ向かう方向及び離間する方向へのダイ２８の摺動運動を可能とする。
【００３８】
グロス調整機構９０のロック装置が概ね１０６で示される。押ボタン１０８は装置を非ロック状態とするように操作可能である。ボタン１０８はスプリング８６の付勢と反対方向にロック部材８８を移動するよう操作可能である。ロックボタン１０８が押されていないときには、図１及び図２に最も良く示されるように、ダイ保持部材９３をロックし、駆動機構（電気モータ３６、タービン３７、あるいは、他の適宜の駆動機構）の作動中におけるスライド部材９６の移動を妨げるよう、ロック部材８８はダイ保持部材９３内の凹部９２に係合する。ロックボタン１０８の作動（押すこと）はロック部材８８の移動を引き起こし、図３に最も良く示されるように、ロック部材８８が凹部９２から外れるようにする。凹部９２からのロック部材８８の離脱はダイ保持部材９３をロック解除し、スライド部材９６がガイドスロット９８内で摺動することを許容することによって、ダイ２８がパンチ２６へ向かう方向及び離間する方向へ摺動することを可能とする。
【００３９】
さらに、好適な実施形態では、Ｃ形状フレーム部１４の両端部１６及び１８はアンダーカット顎部１２６及び１２８を含み、異なる形状の間柱をパンチ２６とダイ２８との間に配置することを可能とする。グロス調整ストローク範囲は間柱をパンチするために要求されるそれより非常に大きく、異なる形状の間柱をパンチ２６とダイ２８との間に位置決めすることを可能とする。作動ストローク範囲は間柱をパンチするために供給されるそれよりそれ程大きくはなく、パンチ及びダイアセンブリの短く強力なストロークを可能とする。従って、Ｃ形状フレーム端部のアンダーカット顎部の有利性は非常に大きい。
【００４０】
グロス調整機構９０はスライド部材９６を使用するものに加えて、種々の方法で構成できることが理解されるべきである。例えば、グロス調整ストローク範囲は作動軸に対して実質的に垂直な面に沿って画定されることができる。Ｃ形状フレーム部の第１の半体と第２の半体とを接続するロック可能なヒンジ部材はその平面に沿ったパンチへ向かう方向及び離間する方向へのダイのヒンジ動作を可能とする。ロック装置はヒンジ部材をロック解除してヒンジ部材がその面を通って移動することを可能とし、ヒンジ部材をロックして駆動機構の動作中にヒンジ部材の移動を防止することを可能とする。
【００４１】
さらに、例えば、グロス調整機構はＣ形状フレーム部の第１と第２の半体を接続するためのロック可能な旋回部材を含むことができ、作動軸に平行な面に沿ってパンチがダイに向かう方向及び離間する方向への円弧状の旋回移動を可能とする。ロック装置は旋回部材のロック解除及びロックを可能とする。
【００４２】
代替的に、作動ストローク範囲が十分に大きくパンチとダイとの間に間柱の配置が可能であるならば、グロス調整機構を省略することができる。しかしながら、作動ストローク範囲を短くすることができ、パンチの移動距離を減少し、且つ、パンチ２６から加わる力をを増加することができるように、グロス調整機構の使用が好ましい。さらに、工具の多様性を増加させるために、好ましくは、グロス調整機構と関連してアンダーカット顎部が使用される。
【００４３】
さらに、スロットとピンの構成として示されたカム機構の種々の代替的な実施形態があることが理解されるべきである。例えば、フレーム内にバネを配置してパンチをダイから離間するように付勢することができる。ギア減速アセンブリの出力部に取り付けられたカムローブが駆動機構の作動時にバネの付勢と反対方向に間柱を貫通してパンチを押し込むことができる。
【００４４】
引き続き図１乃至図３を参照すると、装置１０はリミットスイッチ７６を含む。リミットスイッチ７６は、図１及び図３に示されるように、パンチ及びダイアセンブリが非動作位置にあるときにスイッチが作動するように構成されている。同様に、パンチ及びダイアセンブリが動作位置にあるとき、リミットスイッチは非作動である（図２）。図示のように、リミットスイッチ７６は作動位置において８４で示されるレバーを含み（図１及び図３）、レバーは非作動位置において８５で示される（図２）。もちろん、作動及び非作動という用語はリミットスイッチの出力の論理レベルを称呼していることが理解されよう。すなわち、作動及び非作動という用語はリミットスイッチの動作に対する機械的な限界を意味するものではなく、むしろ、リミットスイッチの第１及び第２の状態を表すために用いられているのであり、それら２つのいずれの状態が非作動のパンチ及びダイアセンブリに対応するかを特定するものである。すなわち、リミットスイッチは２つの状態を有し、１つは作動状態であり、もう１つは非作動状態である。さらに、機械的なリミットスイッチが図示されているが、作動可能なリミットスイッチの他の実施例がある。例えば、磁的センサをパンチ及びダイアセンブリが非作動時を検知するよう構成してもよい。
【００４５】
リミットスイッチ７６に加えて、装置１０は使用者によって作動可能なメインスイッチ７２を含む。図示のように、メインスイッチ７２は押ボタン式のスイッチであり、スイッチの作動状態はボタンが押されたときに生じる。好適な実施形態では、逆転スイッチ７４（押ボタン式のスイッチとして図示されている）も装置１０に含まれる。様々なスイッチがパンチ制御回路７０と協働する。リミットスイッチ７６、メインスイッチ７２、及び、選択的な逆転スイッチ７４に加えて、本願発明の好適実施形態では、安全スイッチ７８がまた提供される。安全スイッチ７８は、ロック機構１０６がダイ保持部９３を位置決めすることを許容するために第１及び第２のハウジング半体２２及び２３がそれぞれ組み合わせられたときに作動されるため、安全スイッチ７８はインターロックスイッチとも呼ばれる。安全スイッチ７８はスイッチが開放（非作動）のときにバッテリー６４（あるいは他の適宜の動力源）から電気モータ３６（あるいは他の適宜の駆動機構）への動力連結が破断されるように構成されている。安全スイッチ７８は図３において非作動あるいは非係合（外された）状態で図示されている。図１及び図２において、安全スイッチ７８は作動（閉鎖）されている。さらに、安全スイッチを実施化する多くの方法があり、また、図示のように、ハウジング半体が互いに組み合わされるときにボタンを押し安全スイッチを作動し、動力源を駆動機構に接続するよう、突起８０は窪み９２内に収容される。
【００４６】
図４は本願発明の一実施形態に基づく制御回路の動作を図示する。図４において、制御回路は論理レベルで示されており、そして、回路の実施化の作動例が図５に示されているが、本願発明は如何なる特定の回路レベルの実施化に制限されるものではないことが理解されよう。図４において、制御回路の論理レベル図は概ね１３０で示される。
【００４７】
制御回路１３０は電気モータのような手持ちパンチのための適切な駆動機構を選択的に駆動するよう本願発明に従って論理的に構成されている（図１及び図２）。代替的に、制御回路１３０はタービン駆動の実施形態（図３）に流体動力を選択的に供給するためにバルブを作動するのに用いられてもよい。従って、制御回路１３０は如何なる特定の駆動機構にも限定されないが、例示のために、動力を電気モータに選択的に接続するよう構成されるよう示されている。制御回路１３０は動力源（電源）１３２から動力を引き出す。安全スイッチ１３４は動力源１３２を制御回路１３０の駆動部分に接続する。安全スイッチ１３４は、好ましくはインターロックスイッチであり、パンチ及びダイアセンブリが閉鎖しているときに閉鎖しており、パンチとダイとの間に間柱を位置付けるためにパンチ及びダイアセンブリが開放しているときに開放されている。制御回路１３０は出力ドライバ１３８に接続されている駆動シグナル発生器１３６を含む。スタートスイッチ１４０及びリセットスイッチ１４２は駆動シグナル発生器１３６に接続されている。図４におけるブロックは論理ブロックであり、適切な回路レベルの具現化は実施例によって構成が異なることが理解されるであろう。論理スタートスイッチ１４０はスタートボタン７２に連結され（図１乃至図３）、他方、論理リセットスイッチ１４２はリミットスイッチ７６に連結されている（図１乃至図３）。駆動シグナル発生器１３６は使用者によるスタートスイッチ１４０の論理的な作動（装置のメインスイッチを押すこと）により駆動シグナル発生器１３６が出力ドライバ１３８を駆動するように構成されている。出力ドライバ１３８は、次に、適当な出力回路を介して駆動機構を駆動する。図示されるように、電気モータの実施形態では、出力ドライバはリレーロジック１５０を駆動する。より具体的には、出力ドライバ１３８はソレノイド１５２を駆動し、コンタクト（電気接点）１５４が電気モータ１５６を動力源１３２に接続するようにする。安全スイッチ１３４を伴って示される実施例では、安全スイッチ１３４は、出力ドライバ１３８がソレノイド１５２を効果的に駆動するよう、閉じていなければならない。
【００４８】
論理スタートスイッチ１４０の作動に応じて、駆動シグナル発生器１３６は、出力ドライバ１３８が（安全スイッチ１３４が閉じているときに）パンチ及びダイアセンブリを非作動位置から、作動サイクルにわたって、打ち抜かれた穿孔を形成するための作動位置を通じて駆動するようにし、引き続き、サイクルを完了し且つリミットスイッチを作動するために、パンチ及びダイアセンブリ１６８を非作動位置へ駆動して、論理リセットスイッチ１４２を作動する。制御回路１３０、そして、より具体的には、駆動シグナル発生器１３６は、出力ドライバ１３８を停止することによるリセットスイッチの作動に応じて駆動機構の運転を停止するように構成されている。好適な実施形態では、タイマー１４４が、パンチ及びダイアセンブリ１６８がサイクルを完了することなしに、（メインスイッチによって作動される）論理スタートスイッチ１４０の作動からの予定時間経過後に駆動機構の運転を停止するように構成されている。すなわち、スタートスイッチ１４０の作動は出力ドライバ１３８において予定パルス幅のパルスを生じさせる。パルス幅はタイマー１４４によって決定される。すなわち、出力ドライバ１３８はタイマー１４４の満了あるいは（リミットスイッチによって作動される）論理リセットスイッチ１４２の作動まで駆動機構を駆動する。バッテリーが少なくなったときには、バッテリー動力が既に低くて作動サイクルを完了できず、リミットスイッチを切り替えることができないときに、駆動シグナル発生器１３６がバッテリーを消耗し続けないよう、タイマー１４４は本願発明のバッテリー駆動の実施形態のために特に有用である。
【００４９】
好適実施形態において、制御回路１３０はさらに順回転／逆回転（フォワード／リバース）スイッチ１５８、及び、電流センサ１６０を含む。順回転／逆回転スイッチ１５８は、スイッチ１５８が作動されたときのソレノイド１５２及びコンタクト１５４の相互作用を変えることによって、モータが逆転方向に駆動されるようにする。電流センサ１６０は電気モータ１５６を通る電流を検知し、モータの電流が予め定められたの過負荷限界値を超えるときに、論理リセットスイッチ１４２を作動してモータの駆動シグナルを停止する。代替的に、超過のモータ電流は自動的に論理リバーススイッチを作動し、モータが逆転するようにしてもよい。装置がどのようにモータの電流過負荷に対応するか選択するために、スイッチが備えられてもよい。
【００５０】
本願発明の他の面によれば、電流センサ１６０は、電流が予め定められた限界値を越えたときに過負荷シグナルを発生することによる電気モータの運転停止に加えて、モータ電流が、打ち抜かれた穿孔が形成されたことを示す、予め定められたパンチングシグナルを超えるときに、パンチングシグナルをカウンタ１６２に提供するように構成されている。カウンタ１６２は、穿孔がパンチされるたびに起きる電流のスパイクに基づいて、打ち抜かれた穿孔を計数する。カウンタ１６２の数字は使用者が見ることができるようにディスプレイ１６４に表示されてもよい。打ち抜かれた穿孔の数字を使用者に示すことによって、使用者は、例えば、いつパンチあるいはダイが取り替えられる必要があるか、あるいは、いつバッテリーが弱くなり始めるかを見積もることができる。好ましくは、リセットカウンタロジック１６６が使用者の手の届く所にあるスイッチに接続され、カウンタ１６２がリセットされるようにする。カウンタはバッテリー、あるいは、小型のリチウムイオンバッテリーのような別個の動力源によって動力が供給され得る。
【００５１】
一般的に、制御回路１３０の多様な論理部分は、鋼製フレーム間柱に穿孔をパンチするための作動サイクルにわたってパンチ及びダイアセンブリ１６８を駆動するよう、電気モータ１５６（あるいは他の好適な駆動機構）を選択的に駆動するために協働する。作動状態においては、物理的な安全／インターロックスイッチを閉じることで、電力供給１３２をリレーロジック１５０に接続するために、論理安全スイッチ１３４が作動する。物理的メインスイッチあるいはスタートスイッチの瞬間的な作動によって、論理スタートスイッチ１４０が作動され、駆動シグナル発生器１３６はスタートシグナルを受け取る。駆動シグナル発生器１３６は予め定められたパルス幅を有する出力シグナルを発生する。出力シグナルのパルス幅は論理タイマー１４４によって予め定めらる。出力ドライバ１３８は（安全スイッチが閉じられているときに）電源１３２のソレノイド１５２への接続を完了する。ソレノイド１５２の通電（電圧印加）はこのようにしてリレーコンタクト１５４を作動し、電源１３２を電気モータ１５６へ接続する。電気モータ１５６はパンチ及びダイアセンブリ１６８を作動サイクルにわたって駆動する。パンチ及びダイアセンブリのための作動サイクルが完了されると、引き戻されたパンチによって物理リミットスイッチが作動されて、論理リセットスイッチ１４２を作動する。論理リセットスイッチが作動されると、駆動シグナル発生器１３６は出力ドライバ１３８へのシグナルを停止する。他方、駆動シグナル発生器１３６は、（例えば、低バッテリーの場合のように、）タイマー１４４がパンチの作動サイクル完了前に終了する場合にも、出力ドライバ１３８へのシグナルを停止する。
【００５２】
上記の一般的な動作に加えて、本願発明の好適実施形態は論理制御回路１３０内に追加の機能を有する。好ましくは、（物理的な順／逆転スイッチに接続された）順転／逆転論理スイッチによって、電気モータ１３６は通常の動作方向とは反対方向に作動される。ある構成では、物理及び論理逆転スイッチの作動によって、モータは瞬時に逆転駆動される。他の実施形態では、逆転スイッチはリレー１５０の内部回路の構成を変え、メインスイッチ及び論理スタートスイッチ１４０が作動されるとき、モータは逆転して駆動される。さらに、好適な実施形態では、電流センサ１６０はモータ電流を監視する。モータ電流は予め定められた過負荷電流と比較され、モータ電流が予め定められた限界電流を越える場合には、過負荷シグナルが論理リセットスイッチ１４２に提供されてもよい。代替的に、電流センサ１６０によって検知される電流過負荷により、電流センサ１６０は、論理逆転スイッチ１５０がパンチを戻すためにモータの方向を逆転することを要求する。
【００５３】
電流センサ１６０を利用した他の実施例では、電流モータ１６０のために予め定められた限界電流が設定される。電流センサ１６０は作動中にモータ電流を検知し、その電流を予め定められたパンチングの限界電流と比較する。モータ電流が予め定められたパンチングの限界電流を超えたことを電流センサが検知したとき、パンチングシグナルがカウンタ１６２に与えられる。カウンタ１６２は、装置によって作られた打ち抜かれた穿孔の数を示す値を保持する。パンチングシグナルを受け取ると、即座に、カウンタはその中に記憶された値を増加する。ディスプレイ１６４は、使用者にカウンタの値を表示する。好ましくは、カウンタが初期状態に戻されることを可能にするために、リセットカウンタロジック１６６が設けられる。
【００５４】
図５を参照すると、構成要素レベルにおける制御回路の作動例が、概して１７０で示される。図５の制御回路１７０は図４に示された制御回路１３０の１つの実施例であり、本願発明に従った多くの実施例が可能であることが認められる。回路１７０はレジスタＲ１２、レジスタＲ１３、トランジスタＱ３、コンデンサＣ１、及び、ゼナーダイオードによって形成される定電圧回路１７２を含む。レジスタＲ１はバッテリーからの電圧の一部、ＶＢＡＴを分割する。スイッチＳＷ１はメインスイッチであり、トランジスタＱ４は、スイッチＳＷ１の瞬間的な押圧及び引き続く解放が定電圧回路１７２に電力を供給するように、単一の発信装置出力からのフィードバック入力を受け取り、その後、トランジスタＱ４はＶＢＡＴとアースとの間のパスを提供するためにオン状態にあり、インターロック回路を形成する。定電圧回路１７２に接続されているのはシグナル発生回路１７４である。例示的な実施形態におけるシグナル発生回路１７４の主要な構成部材は集積回路チップＩＣ１であり、それはＮＥ５５５タイマーである。タイマーＩＣにおいて、ピン１はアースであり、ピン２はトリガ入力、ピン３は出力、ピン４はリセット、ピン５は制御電圧、ピン６は限界電圧（スレショルド）、ピン７は放電そして、ピン８は電源である。スイッチＳＷ１は回路レベルにおいて実際は２つのスイッチであり、左側に示されるスイッチはバッテリーがＱ３のスイッチをオンにするためのアースへの瞬間的な通路を提供し、右側に示されるスイッチはタイマーＩＣのトリガ入力におけるトリガパルスを提供する。ＳＷ１が閉じているとき、レジスタＲ２は瞬間的にレジスタＲ８及びコンデンサＣ５に接続され、トリガ入力におけるトリガパルスを作り出す。トリガパルスが受け取られるとき、タイマーの出力はベースレジスタＲ６を通じて出力ドライバトランジスタＱ１を駆動するよう高く引き上げられ、インターロック回路のＱ４をオンにする。
【００５５】
パンチによって作動サイクルが完了しているか否かに拘わらず、タイマーＩＣの出力はレジスタＲ５及びコンデンサＣ４によって決定される予め定められたパルス幅あるいはタイムアウトを有する。好適な実施例によれば、Ｒ５及びＣ４は、Ｃ４が約２秒でタイマーＩＣのための限界電圧に達するように選択され、出力は２秒の間高い状態の後に低い状態に引き下げられるようになっている。
【００５６】
コンデンサＣ３は制御電圧ピンをアースに接続する。スイッチＳＷ２はリセットスイッチであり、リミットスイッチに接続される。パンチが作動サイクルを完了し、リミットスイッチを作動するとき、スイッチＳＷ２は閉じられており、レジスタＲ３がコンデンサＣ２及びレジスタＲ４に接続されるとき、リセットピンを瞬時に引き下げる。ＩＣタイマーのリセットピンがスイッチＳＷ２の閉鎖によって引き下げられるのに加えて、電気モータにおける電流過負荷もリセット入力を引き下げる。
【００５７】
トランジスタＱ１はシグナル発生回路１７４のための出力ドライバである。トランジスタＱ１はリレーロジック１７６の駆動によって選択的に動力をモータに供給する。スイッチＳＷ４は安全／インターロックスイッチである。図５を吟味することによって示され得るように、スイッチＳＷ４が閉じられていない限りモータは駆動され得ない。スイッチＳＷ４が閉じられるとき、トランジスタＱ１をオンにすることでリレーロジック１７６が作動し、電力を電気モータ１８０に供給する。ダイオードＤ１はトランジスタＱ１の集電極（コレクタ）における電圧を制限する。スイッチＳＷ３は手動の逆転スイッチである。例示の作動例では、（スイッチＳＷ４が閉じられているときに）手動でスイッチＳＷ３を閉じると、リレーロジック１７６内のソレノイドドライバを駆動することによって、モータが逆転方向に駆動する。もちろん、当業者によって理解されるように、全体的な動作においては、前述のように、多様なリレーロジック技術がスイッチＳＷ３の効果を変えるために利用され得る。
【００５８】
図５を引き続き参照すると、好適な実施形態においては、電流検知回路１７８が電気モータ１８０に接続される。電流検知回路の主要な構成部材は集積回路チップＩＣ２であり、それはＬＭ３５８比較器（コンパレータ）である。比較器では、ピン１は出力、ピン２は負入力、そして、ピン３は正入力である。レジスタＲ９及びＲ１０は比較器のための限界電圧を供給する。図示のように、限界電圧は使用される特定の電気モータのためのモータ過負荷電流にセットされるべきである。駆動電流及び限界電流は比較器によって（電圧として）比較され、比較器の出力はレジスタＲ１１を通じてトランジスタＱ２を駆動する。モータ電流が限界値を超えるとき、比較器の出力はタイマーＩＣのリセット入力を引き下げるためにトランジスタＱ２をオンとし、リセットを行う。
【００５９】
図５に示される制御回路例は本願発明を如何なる特定の回路構成に限定することを意味するものではなく、本願発明の装置に用いられる制御回路の作動例として開示されていることが理解されるべきである。
【００６０】
図６乃至図８を参照すると、本願発明の最適な実施形態が図示されている。図６において、装置は図１乃至図３に示されるものと実質的に類似しており、そのような訳で、類似の部材を指し示すために類似の参照番号が用いられる。詳細には、図６において、装置は第１の作動可能なリミットスイッチ２００及び第２の作動可能なリミットスイッチ２０２を含む。複数位置スイッチの使用は、現時点で、本願発明の最適な実施形態である。詳細には、第１リミットスイッチ２００はパンチ及びダイアセンブリが非作動位置にあるときに作動される。第２リミットスイッチ２０２は、打ち抜かれた穿孔が形成されるようにパンチ及びダイアセンブリが非作動位置から作動位置方向へ十分に移動したときに、作動される。すなわち、第１リミットスイッチの非作動はパンチが作動位置に向けて移動を開始したことを示す。図６に示されるように、第１リミットスイッチ２００は作動位置にある。他方、第２リミットスイッチ２０２は作動されるようになる。そのとき、打ち抜かれた穿孔が形成されるようにパンチ及びダイアセンブリが非作動位置から作動位置へ十分に移動する。図６に示されるように、第２のリミットスイッチ２０２は非作動である。
【００６１】
図７は図６に示される本願発明の実施形態に基づく制御回路の動作を図示する。図７において、制御回路は論理レベルで示されており、図８に回路実施例の作動例が示されてはいるが、本願発明が如何なる特定の回路レベル実施例にも限定されないことが理解されよう。図７において、制御回路の論理レベル図は概ね２２０で示される。
【００６２】
制御回路２２０は、手持ちパンチのための適当な駆動機構、例えば電気モータを選択的に駆動するために本願発明に従って論理的に構成される。代替的に、制御回路２２０はタービン駆動の実施形態に流体動力を選択的に供給するためのバルブを作動するために用いられてもよい。従って、制御回路２２０は如何なる特定の駆動機構に限定されるものではないが、図示のために動力を電気モータに選択的に接続するために構成されて示される。制御回路２２０はマイクロコントローラ２２２を含む。もちろん、プログラム可能なマイクロコントローラの使用が好ましいが、別個の回路配置あるいはプログラム可能なマイクロプロセッサが代替的に使用されうることが理解されよう。好ましくは、マイクロコントローラ２２２はカリフォルニア州キャンベル市のジロッグ社から入手可能なＺ８６Ｅ０２０８ＰＳＣのような８ビットマイクロコントローラである。
【００６３】
マイクロコントローラ２２２は出力ドライバ２３０に接続される。出力ドライバ２３０はリレー配置２３２のコンタクト２３６を閉じるためにソレノイド２３４を駆動する。コンタクト２３６を閉じることで電気モータ２４０のような駆動機構が選択的に作動される。電気モータ２４０はパンチ及びダイアセンブリ２２４を操作する。本実施形態では、少なくとも１つ及び好ましくは第１及び第２の位置決めスイッチ２２８がパンチ及びダイアセンブリの位置を検知する。リミットスイッチの出力はマイクロコントローラ２２２に提供される。マイクロコントローラ２２２は、リミットスイッチの作動のような事象を時間設定可能であることが好ましい。図示のように、外部発振器（オシレータ）２２６が時間設定のためにマイクロコントローラ２２２によって用いられる。位置決めスイッチ２２８に加えて、スタートあるいはメインスイッチ２４８がマイクロコントローラ２２２に接続される。本願発明の本実施形態では、電源制御インターロック回路２４４がスタートスイッチ２４８の瞬間的な作動に応じた駆動機構の選択的な作動を可能とする。図示のように、電源制御インターロック回路２４４はマイクロコントローラ２２２、スタートスイッチ２４８、及び、ソレノイド２３４に接続される。さらに、電源制御２４４は、好ましくは安全スイッチ２４６を介して、電源２４２に接続される。
【００６４】
動作において、マイクロコントローラ２２２は出力ドライバ２３０を駆動し、次に、出力ドライバはコンタクト２３６を閉じ、そして、電気モータ２４０を駆動するるために電流をソレノイド２３４に供給する。電気モータ２４０はパンチ及びダイアセンブリ２２４を駆動し，パンチ及びダイアセンブリは作動サイクル中の様々な位置で様々な位置決めスイッチ２２８を作動する。
【００６５】
コントローラ２２２は位置決めスイッチ２２８からの入力を受け取る。外部クロック２２６がマイクロコントローラに備えられ、マイクロコントローラ２２２は様々なリミットスイッチあるいはスタートスイッチの作動と非作動との間の経過時間のような事象を時間設定するための内部タイマーを含む。電源制御及びインターロック回路２４４はスタートスイッチ２４８の瞬間的な作動によってパンチ及びダイアセンブリが全部の作動サイクルにわたって駆動され得るようにする。
【００６６】
好ましくは、電源制御インターロック回路２４４は、制御回路が駆動機構を停止した後、マイクロコントローラのような制御回路への動力接続を維持する。タイマーが動力停止限界を超えるとき、マイクロコントローラ２２２は制御回路への動力接続を切断するインターロック回路をリセットするよう構成されている。加えて、好ましくは、制御回路は、タイマーが初期動作限界を超えるとき、メインスイッチの瞬間的な作動後に第１のリミットスイッチが非作動とされる前に、駆動機構を停止するよう構成されている。これは、パンチ及びダイアセンブリがおそらく低バッテリーの故に非作動位置で動かなくなったときに、出力ドライバを停止する。
【００６７】
さらに、好ましくは、制御回路は、第２のリミットスイッチが作動される前にタイマーがパンチのタイムアウト限界値を超えるときに、駆動機構を停止するように構成されている。このタイマーはメインスイッチを瞬間的に作動させることによってリセットされる。この機能は、パンチングが行われるために許容されている十分な時間後に間柱がパンチされていないときを検知する。この検知はパンチが過負荷のときに起こることがある。
【００６８】
ある実施形態では、上記の検知、すなわち、第２のリミットスイッチが作動される前にパンチのタイムアウト限界値を超えるタイマーによって、制御回路によるモータの逆転が生じる。代替的に、制御回路は、第２のリミットスイッチが作動する前にパンチのタイムアウト限界値が超過した後に、単に駆動機構の駆動を停止するようにしてもよい。
【００６９】
上記のタイマーイベントに加えて、本願発明の好適な実施形態は、パンチ及びダイアセンブリが作動サイクルを開始した後に第１のリミットスイッチが作動される前にタイマーがフォワード（順回転）リターン（戻り）タイムアウト限界値を超えるときに、制御回路が駆動機構を停止するよう構成される。さらに、おそらく過負荷の故に駆動機構が逆転されるとき、制御回路はタイマーがリバース（逆回転）リターンタイムアウト限界値を超えるときに駆動機構を停止することが好ましい。
【００７０】
図８を参照すると、構成部材レベルにおける制御回路の作動例が概ね２６０で指し示されている。図８の制御回路２６０は図７の制御回路２２０のための１つの実施例であり、本願発明に基づく多くの実施例が可能であることが理解されよう。制御回路２６０は第１のプリント基板２６２及び第２のプリント基板２６４を含む。マイクロコントローラ２６６、例えばＺ８６Ｅ０２０８ＰＳＣ、は様々な入力を受け取り、出力ドライバ及びインターロック回路への出力を有する。発振回路２６８はコンデンサＣ６及びＣ７並びに８メガヘルツ発振器である水晶発振器Ｘ１を含む。電源回路２７０は、ゼナーダイオードＺＤ１及びトランジスタＱ２に加えて、コンデンサＣ１、Ｃ２、Ｃ３、及びレジスタＲ４を含む。さらに、電源回路２７０はコンデンサＣ４及びＣ５及びゼナーダイオードＺＤ２を含む。第１リミットスイッチ（図６における２００）はスイッチＳＷ１として示され、レジスタＲ６及びＲ７と協働して、マイクロコントローラ２６６に入力を提供する。第２リミットスイッチ（図６における２０２）はスイッチＳＷ２として具現化され、レジスタＲ５と協働して、マイクロコントローラ２６６に入力を提供する。図示のように、スイッチＳＷ１の作動は入力Ｐ３１を引き下げ、他方、スイッチＳＷ２の作動は入力Ｐ２４を引き下げる。マイクロコントローラ２６６は、インターロック回路への出力Ｐ２３及び出力ドライバトランジスタへの出力Ｐ０１及びＰ００を制御するための内部タイミング情報と共に入力ビットを処理する。
【００７１】
引き続き図８を参照すると、インターロック回路は概ね２７２で示され、トランジスタＱ１及びレジスタＲ１、Ｒ２、及び、Ｒ３を含む。加えて、インターロック回路２７２はトランジスタＱ３及び入力レジスタＲ９を含む。スイッチＳＷ４は安全スイッチであり、インターロック回路２７２を第２のプリント基板２６４上のバッテリーに接続する。２つのプリント基板はリボンケーブルによってコネクタＣＯＮ１とコネクタＣＯＮ２との間で接続される。図示のように、第２プリント基板２６４はスイッチＳＷ３として具現化されたスタートスイッチを含む。スイッチＳＷ３は２つの物理的なスイッチを含む。ＳＷ３の作動は入力Ｐ２０を引き下げ、レジスタＲ８は電流を制限する。Ｐ２０を引き下げることはスタートボタンが押されたことをマイクロコントローラ２６６に示す。さらに、ＳＷ３の作動は、インターロック回路のトランジスタＱ１をオンにするためにレジスタＲ２を横切ってトランジスタＱ１の電極（エミッタ）と集電極（コレクタ）とを接続する。マイクロコントローラ２６６は、次に、スイッチＳＷ３が解除された後でトランジスタＱ１をオンにし続けるためにトランジスタＱ３をオンにする。すなわち、トランジスタＱ１及びＱ３はインターロックを形成する。第１のプリント基板２６２上の回路の出力ドライバはトランジスタＱ４及びＱ５を含む。入力レジスタＲ１０及びＲ１１はそれぞれトランジスタＱ４及びＱ５のベース電流を制限する。コンデンサＣ８及びＣ９はそれぞれの集電極における静電容量を加える。トランジスタＱ４はリレー２を駆動し、ダイオードＤ２はトランジスタＱ４の集電極における電圧を制限する。リレーはモータＭ１をバッテリー端末ＢＡＴ＋とＢＡＴ−との間に接続するよう制御される。
【００７２】
本願発明の好適実施例に基づけば、制御回路２６０はインターロック回路２７２を含む。好適な実施例では、マイクロコントローラ２６６はスイッチＳＷ１及びＳＷ２を監視し、ピンＰ０１及びＰ００における出力ドライバに対するより高度な制御を提供するために内部タイマーを使用し、好ましくは、装置がかなりの時間、例えば１時間、使用されていないときにトランジスタＱ３をＯＦＦにする。プログラム可能なマイクロコントローラは装置の制御を様々に向上させることが理解されよう。本明細書に含まれる特定の実施例は現時点において発明者にとって好適なものであるが、本願発明に基づく全ての可能な制御の向上を例示するものではない。
【００７３】
発明の実施形態が例示され、記述されているが、これらの実施形態は発明の全ての可能な形態を例示し、記述することを意図するものではない。むしろ、本明細書において用いられている用語は制限の用語というよりも記述の用語であり、発明の精神及び範囲から逸脱せずに多様な変更がなされ得ることが理解されよう。
【図面の簡単な説明】
【図１】
図１は、鋼製間柱を穿孔するのための本願発明の装置を図示する一部切欠の側面図であり、閉鎖位置にあり、非作動とされ、間柱が間にあるパンチ及びダイを示している。
【図２】
図２は、図１に類似の側面図であり、閉鎖位置にあり、作動され、パンチがノックアウトを形成するべく間柱を貫通して延出した状態のパンチ及びダイを示している。
【図３】
図３は、図１に類似の側面図であり、パンチ及びダイの間にある間柱の位置決めを許容する開放位置にあるパンチ及びダイを示している。
【図４】
図４は、本願発明の実施形態における制御回路の論理ブロック図である。
【図５】
図５は、図４に示された制御回路を実現した好適な回路の例示図である。
【図６】
図６は、鋼製間柱の穿孔のための本願発明の好適な装置であり、パンチ保持部における第１及び第２の作動可能なリミットスイッチを示しており、パンチ及びダイは閉鎖位置で非作動とされている。
【図７】
図７は、本願発明の好適な実施例における制御回路の論理ブロック図である。
【図８】
図８は、図７に示された制御回路を実現した好適な回路の一例を示してる。
【図４】
2004502559.tif 000003
【図５】
2004502559.tif 000004
【図７】
2004502559.tif 000005
【図８】
2004502559.tif 000006
【国際公開パンフレット】
2004502559.tif 000007
2004502559.tif 000008
2004502559.tif 000009
2004502559.tif 000010
2004502559.tif 000011
2004502559.tif 000012
2004502559.tif 000013
2004502559.tif 000014
2004502559.tif 000015
2004502559.tif 000016
2004502559.tif 000017
2004502559.tif 000018
2004502559.tif 000019
2004502559.tif 000020
2004502559.tif 000021
2004502559.tif 000022
2004502559.tif 000023
2004502559.tif 000024
2004502559.tif 000025
2004502559.tif 000026
2004502559.tif 000027
2004502559.tif 000028
2004502559.tif 000029
2004502559.tif 000030
2004502559.tif 000031
2004502559.tif 000032
2004502559.tif 000033
2004502559.tif 000034
2004502559.tif 000035
2004502559.tif 000036
2004502559.tif 000037
2004502559.tif 000038
2004502559.tif 000039
2004502559.tif 000040
2004502559.tif 000041
2004502559.tif 000042
2004502559.tif 000043
2004502559.tif 000044
2004502559.tif 000045
2004502559.tif 000046
2004502559.tif 000047
2004502559.tif 000048
2004502559.tif 000049
2004502559.tif 000050
2004502559.tif 000051
【国際調査報告】
2004502559.tif 000052